(57)【要約】【課題】編集対象の画像の視認性を確保しつつ、描画データを付加して印刷することができる画像処理システム、画像処理装置、方法及びプログラムを提供すること。【解決手段】本発明の画像処理装置は、編集対象の画像を取得し、編集対象の画像に付加する描画データを生成し、ユーザが指定した種類の編集履歴識別情報を生成し、ユーザが指定した種類の編集履歴識別情報を編集対象の画像に付加して印刷する。編集履歴識別情報の種類は、１次元コード、２次元コード、地紋又は数値である。【選択図】  図２
2015104115.tif 000002
【特許請求の範囲】
【請求項１】
画像データを処理する画像処理装置であって、
編集対象の画像を取得する取得手段と、
編集対象の画像に付加する描画データを生成し、編集対象の画像に対する編集作業を識別する編集履歴識別情報と、前記描画データの識別情報とを関連付けて記憶装置に保存する画像編集手段と、
ユーザが指定した種類の編集履歴識別情報を生成する編集履歴識別情報生成手段と、
ユーザが指定した種類の編集履歴識別情報を編集対象の画像に付加して印刷する印刷手段と
を含む、画像処理装置。
【請求項２】
編集履歴識別情報の種類は、１次元コード、２次元コード、地紋又は番号であることを特徴とする、請求項１に記載の画像処理装置。
【請求項３】
前記画像処理装置は、
編集履歴識別情報を取得する編集履歴識別情報取得部と、
編集対象の画像及び描画データを表示する表示手段と、
前記編集履歴識別情報取得部が取得した編集履歴識別情報に関連付けられた描画データを前記表示手段に表示する制御手段と
を備える、請求項１又は２に記載の画像処理装置。
【請求項４】
前記制御手段は、格納期限が過ぎた描画データを前記表示手段に表示しないことを特徴とする、請求項３に記載の画像処理装置。
【請求項５】
前記制御手段は、表示期限が過ぎた描画データを前記表示手段に表示せず、前記描画データの保存日時を編集対象の画像に重畳して表示することを特徴とする、請求項３又は４に記載の画像処理装置。
【請求項６】
前記制御手段は、ユーザがアクセス権を有する描画データのみを編集対象の画像に重畳して前記表示手段に表示することを特徴とする、請求項３〜５のいずれか１項に記載の画像処理装置。
【請求項７】
画像データを処理する画像処理システムであって、
編集対象の画像を取得する取得手段と、
編集対象の画像に付加する描画データを生成し、編集対象の画像に対する編集作業を識別する編集履歴識別情報と、前記描画データの識別情報とを関連付けて記憶装置に保存する画像編集手段と、
ユーザが指定した種類の編集履歴識別情報を生成する編集履歴識別情報生成手段と、
ユーザが指定した種類の編集履歴識別情報を編集対象の画像に付加して印刷する印刷手段と
を含む、画像処理システム。
【請求項８】
画像データを処理する画像処理装置が実行する方法であって、前記方法は、
編集対象の画像を取得するステップと、
編集対象の画像に付加する描画データを生成し、編集対象の画像に対する編集作業を識別する編集履歴識別情報と、前記描画データの識別情報とを関連付けて記憶装置に保存するステップと、
ユーザが指定した種類の編集履歴識別情報を生成するステップと、
ユーザが指定した種類の編集履歴識別情報を編集対象の画像に付加して印刷するステップと
を含む、方法。
【請求項９】
編集履歴識別情報の種類は、１次元コード、２次元コード、地紋又は番号であることを特徴とする、請求項８に記載の方法。
【請求項１０】
請求項８又は９に記載の方法を画像処理装置に実行させるためのプログラム。
【発明の詳細な説明】
【技術分野】
【０００１】
本発明は、画像処理システムに関し、具体的には、編集対象の画像を編集する画像処理システム、画像処理装置、方法及びプログラムに関する。
【背景技術】
【０００２】
従来、デジタル文書等の編集対象の画像データに対して、ユーザが自由に注釈等の描画データを付加する技術が提案されている。このような技術の一例として、特許文献１は、編集対象の画像であるドキュメントデータに対する注釈情報を生成し、ドキュメントデータの任意の位置に注釈情報を配置して印刷する情報処理装置を開示する。
【発明の概要】
【発明が解決しようとする課題】
【０００３】
しかしながら、特許文献１が開示する情報処理装置は、ユーザが注釈を任意の場所に配置してレイアウトを決定できるものの、注釈の数が多い場合には編集対象の画像上に注釈を重畳して配置しなければならないことがあり、印刷物に印刷された編集対象の画像の視認性が低下するという問題があった。
【０００４】
本発明は、上記従来技術の問題に鑑みてなされたものであり、編集対象の画像の視認性を確保しつつ、描画データを付加して印刷することができる画像処理システム、画像処理装置、方法及びプログラムを提供することを目的とするものである。
【課題を解決するための手段】
【０００５】
上記課題を解決するために、本発明の画像処理装置は、編集対象の画像を取得し、編集対象の画像に付加する描画データを生成し、ユーザが指定した種類の編集履歴識別情報を生成し、当該編集履歴識別情報を編集対象の画像に付加して印刷する。
【発明の効果】
【０００６】
本発明は、上記構成要件を採用することにより、編集対象の画像の視認性を確保しつつ、注釈等の描画データを付加して印刷することができる。
【図面の簡単な説明】
【０００７】
【図１】本発明の画像処理システムの一実施形態を示す概略図。
【図２】本発明の画像処理装置の機能構成を示す図。
【図３】本発明の画像処理装置が実行する処理の一実施形態を示すフローチャート。
【図４】初期設定画面の一実施形態を示す図。
【図５】アクセス権設定画面の一実施形態を示す図。
【図６】編集履歴識別情報の設定画面の一実施形態を示す図。
【図７】本発明の画像処理装置が実行する処理の別の実施形態を示すフローチャート。
【図８】編集履歴識別情報入力画面の一実施形態を示す図。
【図９】本発明の画像処理装置が実行する画像編集処理を示すフローチャート。
【図１０】編集画面の一実施形態を示す図。
【図１１】期限設定画面の一実施形態を示す図。
【図１２】編集履歴管理テーブルの一実施形態を示す図。
【図１３】本発明の画像処理装置が実行する処理の別の実施形態を示すフローチャート。
【図１４】反映印刷画面の一実施形態を示す図。
【図１５】本発明の画像処理装置が実行する印刷処理を示すフローチャート。
【図１６】印刷画面の一実施形態を示す図。
【図１７】反映印刷画面で描画データを表示した後、さらに編集画面で描画データを生成した場合の画面遷移を示す図。
【図１８】本発明の画像処理システムの別の実施形態を示す概略図。
【図１９】サーバ１８３０及び投影装置１８４０の機能構成を示す図。
【発明を実施するための形態】
【０００８】
以下、本発明について実施形態をもって説明するが、本発明は、後述する実施形態に限定されるものではない。
【０００９】
図１は、本発明の画像処理システムの一実施形態を示す概略図である。画像処理システム１００は、情報処理装置１１２ａ，１１２ｂと、画像処理装置１２０とを含む。
【００１０】
情報処理装置１１２ａ，１１２ｂは、種々の画像データを画像処理装置１２０に提供する情報処理装置である。本実施形態では、情報処理装置１１２ａ，１１２ｂとしてデスクトップ型ＰＣ及びスマートフォンを採用するが、他の実施形態では、ノート型ＰＣやタブレット型ＰＣ等の種々の情報処理装置を採用することができる。
【００１１】
情報処理装置１１２ａは、ネットワーク１１０を介して画像データを画像処理装置１２０に提供する。ネットワーク１１０は、ローカルエリアネットワーク（ＬＡＮ）やインターネットなどのネットワークで構成される。情報処理装置１１２ｂは、画像データを無線通信によって画像処理装置１２０に提供する。
【００１２】
画像処理装置１２０は、スキャニング及び印刷が可能な画像処理装置である。画像処理装置１２０は、プロセッサと、ＲＡＭやＨＤＤ等の記憶装置と、スキャナ装置と、印刷装置とを備える。画像処理装置１２０のプロセッサは、種々のＯＳの制御下で、ＨＤＤに保存されている本発明のプログラムをＲＡＭに展開して実行することにより、後述する機能を実現する。
【００１３】
図２は、本発明の画像処理装置の機能構成を示す図である。以下、図２を参照して、画像処理装置１２０の機能構成について説明する。
【００１４】
画像処理装置１２０は、制御部２００と、表示制御部２０１と、ユーザ認証部２０２と、スキャナ制御部２０３と、通信部２０４と、画像取得部２０５と、記憶部２０６と、初期設定部２０７と、編集履歴識別情報取得部２０８と、画像編集部２０９と、編集履歴識別情報生成部２１０と、印刷制御部２１１とを含む。
【００１５】
制御部２００は、画像処理装置１２０の全体制御を行う手段であり、後述する機能部を制御して種々の処理を実行する。表示制御部２０１は、画像処理装置１２０の表示部（図示せず）を制御する手段である。表示部は、種々の操作画面を表示する液晶パネル等の表示装置である。
【００１６】
ユーザ認証部２０２は、画像処理装置１２０のユーザを認証する手段である。ユーザは画像処理装置１２０を操作する際、表示部に表示された認証画面にユーザ識別情報及びパスワードを入力する。ユーザ認証部２０２は、ユーザ識別情報とパスワードとが関連付けられた認証情報を参照し、ユーザが入力したユーザ識別情報とパスワードとを整合することによってユーザを認証する。認証情報は、予め記憶部２０６に保存されている。
【００１７】
スキャナ制御部２０３は、原稿をスキャンするスキャナ装置を制御する手段である。スキャナ制御部２０３は、スキャナ装置に原稿をスキャンさせて画像データを生成し、記憶部２０６に保存する。
【００１８】
通信部２０４は、外部装置との通信を制御する手段である。通信部２０４は、ネットワーク１１０を介して情報処理装置１１２ａとデータ通信すると共に、無線通信により情報処理装置１１２ｂとデータ通信する。通信部２０４は、情報処理装置１１２ａ，１１２ｂから画像データを取得すると、記憶部２０６に保存する。
【００１９】
画像取得部２０５は、編集対象の画像を取得する手段である。画像取得部２０５は、記憶部２０６に保存されている画像データを編集対象の画像として取得する。
【００２０】
記憶部２０６は、種々のデータが保存される記憶手段である。記憶部２０６は、ＨＤＤやＲＡＭ等の記憶装置によって構成される。
【００２１】
初期設定部２０７は、画像データの編集作業に必要な初期設定を行う手段である。初期設定部２０７は、図４に示すような初期設定を行う初期設定画面を表示部に表示し、ユーザの指示に基づいて初期設定を行う。
【００２２】
編集履歴識別情報取得部２０８は、編集対象の画像に対する編集作業群を識別する編集履歴識別情報を取得する手段である。編集履歴識別情報取得部２０８は、編集履歴識別情報が編集対象の画像に印字されている場合は、画像データから編集履歴識別情報を抽出して取得する。ユーザが図８に示すような編集履歴識別情報入力画面を用いて編集履歴識別情報を入力した場合は、編集履歴識別情報取得部２０８は、入力された編集履歴識別情報を取得する。
【００２３】
画像編集部２０９は、編集対象の画像を編集する手段である。画像編集部２０９は、図１０に示すような画像データの編集を行う編集画面を表示部に表示し、ユーザの指示に基づいて編集を行う。
【００２４】
編集履歴識別情報生成部２１０は、編集履歴識別情報を生成する手段である。編集履歴識別情報生成部２１０は、図６に示すような編集履歴識別情報の設定画面で指定された種類の編集履歴識別情報を生成する。
【００２５】
印刷制御部２１１は、画像データを印刷する印刷装置を制御する手段である。印刷制御部２１１は、制御部２００の指示に従って印刷データを生成し、当該印刷データを印刷装置に印刷させる。本実施形態では、印刷制御部２１１は、用紙等の印刷媒体に印刷データを印刷するが、他の実施形態では、印刷データをＰＤＦファイル形式等の任意のファイル形式の画像データに変換してもよい。
【００２６】
図３は、本発明の画像処理装置が実行する処理の一実施形態を示すフローチャートである。以下、図３を参照して、画像処理装置１２０が、ユーザが発行した初期設定画面の表示指示を受け付けた場合に実行する処理について説明する。
【００２７】
図３に示す処理は、ステップＳ３００で画像処理装置１２０が初期設定画面の表示指示を受け付けることにより開始する。本実施形態では、ユーザは画像処理装置１２０の操作画面を用いて初期設定画面の表示を指示することができる。ステップＳ３０１では、画像処理装置１２０の初期設定部２０７が、図４に示すような初期設定画面４００を表示部に表示する。
【００２８】
初期設定画面４００は、編集作業によって生成される描画データの記録を指示するボタン４０１と、描画データを記録しない旨を指示するボタン４０２と、ユーザ認証データの付与を指示するボタン４０３と、ユーザ認証データを付与しない旨を指示するボタン４０４と、描画データの格納期限の設定を指示するボタン４０５と、描画データの格納期限を設定しない旨を指示するボタン４０６と、描画データの表示期限の設定を指示するボタン４０７と、描画データの表示期限を設定しない旨を指示するボタン４０８と、描画データに対するアクセス権の設定を指示するボタン４０９と、描画データに対するアクセス権の設定を指示するボタン４０９と、描画データに対するアクセス権を設定しない旨を指示するボタン４１０と、設定ボタン４１１と、キャンセルボタン４１２とを含む。
【００２９】
ステップＳ３０２では、初期設定部２０７は、初期設定画面４００の設定ボタン４１１又はキャンセルボタン４１２が押下されたか否か判断する。いずれのボタンも押下されていない場合は（ｎｏ）、ステップＳ３０２の処理が反復する。一方、設定ボタン４１１又はキャンセルボタン４１２が押下された場合は（ｙｅｓ）、ステップＳ３０３に処理が分岐する。ステップＳ３０３では、初期設定部２０７は、押下されたボタンの種類を判断する。設定ボタン４１１が押下された場合はステップＳ３０４に処理が分岐し、キャンセルボタン４１２が押下された場合はステップＳ３２０で処理が終了する。
【００３０】
ステップＳ３０４では、初期設定部２０７は、描画データの記録が指示されているか否か判断する。初期設定部２０７は、設定ボタン４１１の押下時に、描画データの記録を指示するボタン４０１が選択されているときは、描画データの記録が指示されていると判断し、描画データを記録しない旨を指示するボタン４０２が選択されているときは、描画データの記録が指示されていないと判断する。描画データの記録が指示されていない場合は（ｎｏ）、ステップＳ３２０で処理が終了する。一方、描画データの記録が指示されている場合は（ｙｅｓ）、ステップＳ３０５に処理が分岐する。
【００３１】
ステップＳ３０５では、初期設定部２０７は、ユーザ認証データの付与が指示されているか否か判断する。初期設定部２０７は、設定ボタン４１１の押下時に、ユーザ認証データの付与を指示するボタン４０３が選択されているときは、ユーザ認証データの付与が指示されていると判断し、ユーザ認証データを付与しない旨を指示するボタン４０４が選択されているときは、ユーザ認証データの付与が指示されていないと判断する。
【００３２】
ユーザ認証データの付与が指示されていない場合は（ｎｏ）、ステップＳ３０７に処理が分岐する。一方、ユーザ認証データの付与が指示されている場合は（ｙｅｓ）、ステップＳ３０６に処理が分岐する。ステップＳ３０６では、初期設定部２０７は、ユーザ認証データを付与する。
【００３３】
ステップＳ３０７では、初期設定部２０７は、格納期限の設定が指示されているか否か判断する。初期設定部２０７は、設定ボタン４１１の押下時に、描画データの格納期限の設定を指示するボタン４０５が選択されているときは、格納期限の設定が指示されていると判断し、描画データの格納期限を設定しない旨を指示するボタン４０６が選択されているときは、格納期限の設定が指示されていないと判断する。
【００３４】
格納期限の設定が指示されていない場合は（ｎｏ）、ステップＳ３０９に処理が分岐する。一方、格納期限の設定が指示されている場合は（ｙｅｓ）、ステップＳ３０８に処理が分岐する。ステップＳ３０８では、初期設定部２０７は、格納期限設定を有効にする。本実施形態では、初期設定部２０７は、格納期限設定が有効である旨を示す情報を記憶部２０６に保存する。
【００３５】
ステップＳ３０９では、初期設定部２０７は、表示期限の設定が指示されているか否か判断する。初期設定部２０７は、設定ボタン４１１の押下時に、描画データの表示期限の設定を指示するボタン４０７が選択されているときは表示期限の設定が指示されていると判断し、描画データの表示期限を設定しない旨を指示するボタン４０８が選択されているときは表示期限の設定が指示されていないと判断する。
【００３６】
表示期限の設定が指示されていない場合は（ｎｏ）、ステップＳ３１１に処理が分岐する。一方、表示期限の設定が指示されている場合は（ｙｅｓ）、ステップＳ３１０に処理が分岐する。ステップＳ３１０では、初期設定部２０７は、表示期限設定を有効にする。本実施形態では、初期設定部２０７は、表示期限設定が有効である旨を示す情報を記憶部２０６に保存する。
【００３７】
ステップＳ３１１では、初期設定部２０７は、描画データに対するアクセス権の設定が指示されているか否か判断する。初期設定部２０７は、設定ボタン４１１の押下時に、アクセス権の設定を指示するボタン４０９が選択されているときは、アクセス権の設定が指示されていると判断し、アクセス権を設定しない旨を指示するボタン４１０が選択されているときは、アクセス権の設定が指示されていないと判断する。
【００３８】
アクセス権の設定が指示されていない場合は（ｎｏ）、ステップＳ３１６に処理が分岐する。一方、アクセス権の設定が指示されている場合は（ｙｅｓ）、ステップＳ３１２に処理が分岐する。ステップＳ３１２では、初期設定部２０７は、図５に示すアクセス権設定画面を表示部に表示する。
【００３９】
アクセス権設定画面５００は、描画データに対するアクセス権をユーザ毎に設定する画面である。アクセス権設定画面５００には、描画データを参照するユーザのＩＤと、描画データが参照されるユーザのＩＤとが対応付けられたアクセス権管理表が表示される。
【００４０】
図５に示すアクセス権設定画面５００は、ユーザＩＤとして「Ａ」が割り当てられたユーザがログイン認証した場合に表示される画面であるため、ユーザは、ユーザＩＤ「Ａ」が表示されている行のみが設定可能である。図５に示す状態は、ユーザＩＤ「Ａ」で識別されるユーザは、ユーザＩＤ「Ｂ」で識別されるユーザが作成した描画データ、ユーザＩＤ「Ｃ」で識別されるユーザが作成した描画データ、及びユーザＩＤ「Ｅ」で識別されるユーザが作成した描画データを参照可能であることを示す。ユーザは、アクセス権設定画面５００を用いて、アクセス権を自由に設定することができる。
【００４１】
ステップＳ３１３では、初期設定部２０７は、アクセス権設定画面５００の設定ボタン５０１又はキャンセルボタン５０２が押下されたか否か判断する。いずれのボタンも押下されていない場合は（ｎｏ）、ステップＳ３１２の処理が反復する。一方、設定ボタン５０１又はキャンセルボタン５０２が押下された場合は（ｙｅｓ）、ステップＳ３１４に処理が分岐する。
【００４２】
ステップＳ３１４では、初期設定部２０７は、押下されたボタンの種類を判断する。キャンセルボタン５０２が押下された場合は、ステップＳ３１６に処理が分岐する。一方、設定ボタン５０１が押下された場合は、ステップＳ３１５に処理が分岐する。ステップＳ３１５では、初期設定部２０７は、アクセス権設定画面５００で指定されたアクセス権管理情報を記憶部２０６に保存する。
【００４３】
ステップＳ３１６では、初期設定部２０７は、図６に示すような編集履歴識別情報の設定画面を表示部に表示する。編集履歴識別情報の設定画面６００は、編集履歴識別情報の種類及び位置を設定する画面である。編集履歴識別情報の設定画面６００には、プレビュー画面６０１と、各種ボタン６０２〜６０８と、設定ボタン６０９と、キャンセルボタン６１０とが含まれる。
【００４４】
ボタン６０２は、編集履歴識別情報を画像データに付加しない旨を指示するボタンである。ボタン６０３は、総ての種類の編集履歴識別情報を画像データに付加する旨を指示するボタンである。
【００４５】
ボタン６０４は、編集履歴識別情報としてＱＲコード（登録商標）を編集対象の画像に付加する旨を指示するボタンである。ボタン６０５は、ＱＲコード形式の編集履歴識別情報を付加する位置を指示するボタンである。本実施形態では、ＱＲコード形式の編集履歴識別情報を採用するが、他の実施形態では、バーコード等の１次元コードや他の２次元コードを採用してもよい。
【００４６】
ボタン６０６は、編集履歴識別情報としてコード番号を編集対象の画像に付加する旨を指示するボタンである。ボタン６０７は、編集履歴識別情報であるコード番号を付加する位置を指示するボタンである。ボタン６０８は、編集履歴識別情報として地紋を画像データに付加する旨を指示するボタンである。本実施形態では、地紋を画像データ全体に印刷するが、画像データの一部の領域に印刷してもよい。
【００４７】
プレビュー画面６０１には、ボタン６０３〜６０８で指定された編集履歴識別情報が付加された画像データが表示される。図６に示す実施形態では、ボタン６０３が選択されているため、編集履歴識別情報であるＱＲコード、コード番号及び地紋が付加された画像データがプレビュー画面６０１に表示される。
【００４８】
本実施形態では、ユーザが選択した上記種類の編集履歴識別情報を編集対象の画像に付加するため、編集対象の画像の視認性を確保しつつ、描画データを付加することができる。
【００４９】
ステップＳ３１７では、初期設定部２０７は、編集履歴識別情報の設定画面６００の設定ボタン６０９又はキャンセルボタン６１０が押下されたか否か判断する。いずれのボタンも押下されていない場合は（ｎｏ）、ステップＳ３１７の処理が反復する。一方、設定ボタン６０９又はキャンセルボタン６１０が押下された場合は（ｙｅｓ）、ステップＳ３１８に処理が分岐する。
【００５０】
ステップＳ３１８では、初期設定部２０７は、編集履歴識別情報の設定画面６００で押下されたボタンの種類を判断する。キャンセルボタン６１０が押下された場合は、ステップＳ３２０で処理が終了する。一方、設定ボタン６０９が押下された場合は、ステップＳ３１９に処理が分岐する。ステップＳ３１９では、初期設定部２０７は、編集履歴識別情報の設定画面６００で指定された編集履歴識別情報の設定情報を記憶装置に保存し、ステップＳ３２０で処理が終了する。
【００５１】
図７は、本発明の画像処理装置が実行する処理の別の実施形態を示すフローチャートである。以下、図７を参照して、画像処理装置１２０が、編集対象の画像を取得した場合に実行する処理について説明する。
【００５２】
図７に示す処理は、ステップＳ７００で制御部２００が編集対象の原稿をスキャンし、通信部２０４が情報処理装置１１２ａ，１１２ｂから編集対象の画像を受信し、又は画像取得部２０５が記憶部２０６から編集対象の画像を取得することにより開始する。本実施形態では、編集対象の画像は、記憶部２０６に確保されるバッファメモリである表示データバッファに保存される。
【００５３】
ステップＳ７０１では、画像処理装置１２０の制御部２００は、編集履歴識別情報取得部２０８が編集履歴識別情報を取得したか否か判断する。具体的には、制御部２００は、編集履歴識別情報取得部２０８が編集対象の画像から編集履歴識別情報を抽出したか否か、又は、ユーザが編集履歴識別情報入力画面を用いて入力した編集履歴識別情報を編集履歴識別情報取得部２０８が取得したか否か判断する。
【００５４】
編集履歴識別情報を取得していない場合は（ｎｏ）、ステップＳ７１０に処理が分岐する。一方、編集履歴識別情報を取得した場合は（ｙｅｓ）、ステップＳ７０２に処理が分岐する。
【００５５】
ステップＳ７０２では、制御部２００は、記憶部２０６に保存されている図１２に示すような編集履歴管理テーブルを参照し、当該編集履歴識別情報に描画データ識別情報が関連付けて登録されているか否か判断することにより、描画データが存在するか否か判断する。描画データが存在する場合は（ｙｅｓ）、ステップＳ７０３に処理が分岐する。一方、描画データが存在しない場合は（ｎｏ）、ステップＳ７１０に処理が分岐し、画像編集部２０９が、図９に示す画像編集処理を実行する。
【００５６】
図９に示す画像編集処理は、上位処理から呼び出されることにより、又は編集画面の表示指示を受け付けることにより、ステップＳ９００から開始する。ステップＳ９０１では、画像編集部２０９は、表示データバッファに描画データ識別情報が保存されているか否か判断する。本実施形態では、表示データバッファには、編集対象の画像の他、図１３を参照して詳述するように、反映印刷画面に表示されている描画データの描画データ識別情報が保存される。
【００５７】
描画データ識別情報が表示データバッファに保存されている場合は（ｙｅｓ）、ステップＳ９０２に処理が分岐する。ステップＳ９０２では、画像編集部２０９は、表示データバッファから編集対象の画像を取得し、記憶部２０６から描画データ識別情報が示す描画データを取得し、編集対象の画像及び描画データが表示された編集画面を表示する。
【００５８】
一方、描画データ識別情報が表示データバッファに保存されていない場合は（ｎｏ）、ステップＳ９０３に処理が分岐する。ステップＳ９０３では、画像編集部２０９は、表示データバッファから編集対象の画像を取得し、図１０に示すような編集対象の画像が表示された編集画面を表示する。
【００５９】
図１０は、編集画面の一実施形態を示す図である。編集画面１０００は、プレビュー画面１００１と、描画ツール１０１０と、描画用設定ボタン１０１１〜１０１５と、保存ボタン１０１６と、キャンセルボタン１０１７と、設定ボタン１０１８とが含まれる。
【００６０】
編集画面１０００には、ユーザ認証部２０２が認証したユーザのユーザ識別情報であるユーザＩＤ「Ａ」と、編集履歴識別情報であるコード番号「００１」と、編集作業を識別する編集番号「Ｎｏ．１」とが表示される。本実施形態では、ユーザが認証できなかった場合は、画像処理装置１２０は、ユーザ識別情報を表示しない。また、画像処理装置１２０は、特定の編集作業群に対して編集履歴識別情報を割り当てると共に、編集作業に対し当該編集作業を識別する編集番号を割り当てる。
【００６１】
プレビュー画面１００１には、編集対象の画像及び描画データが表示される。図１０に示す実施形態では、編集対象の画像１００２と、描画データである文字列「小さく」１００３及び円１００４がプレビュー画面１００１に表示されている。これらの描画データは、描画ツール１０１０を用いて描画することができる。本実施形態では、描画ツール１０１０には、四角形を描画するツール、円を描画するツール、直線を描画するツール、文字を描画するツール、及び描画データを削除するツールが含まれる。
【００６２】
描画用設定ボタン１０１１〜１０１５は、それぞれ描画データの太さ調整、図の挿入、描画データの色変更、描画データの書式変更、描画データの塗りつぶしを行うボタンである。ユーザは、これらの描画ツールを使用して様々な描画データを生成することができる。
【００６３】
ステップＳ９０４では、画像編集部２０９は、編集画面１０００の所定のボタン、すなわち、保存ボタン１０１６、キャンセルボタン１０１７又は設定ボタン１０１８が押下されたか否か判断する。いずれのボタンも押下されていない場合は（ｎｏ）、ステップＳ９０４の処理が反復して実行される。一方、いずれかのボタンが押下された場合は（ｙｅｓ）、ステップＳ９０５に処理が分岐する。
【００６４】
ステップＳ９０５では、画像編集部２０９は、押下されたボタンの種類を判断し、ボタンの種類に応じて処理が分岐する。具体的には、設定ボタン１０１８が押下された場合は、ステップＳ９０６に処理が分岐し、保存ボタン１０１６が押下された場合は、ステップＳ９０８に処理が分岐する。キャンセルボタン１０１７が押下された場合は、図１３に示すステップＳ７１１に処理が移行する。
【００６５】
ステップＳ９０６では、画像編集部２０９は、図１１に示すような期限設定画面を表示部に表示する。期限設定画面１１００は、描画データの表示期限及び格納期限を設定する画面である。画像編集部２０９は、記憶部２０６を参照し、表示期限設定が有効である旨を示す情報が存在する場合は、表示期限を設定するフィールド１１１０を表示し、格納期限設定が有効である旨を示す情報が存在する場合は、格納期限を設定するフィールド１１１２を表示する。ユーザは、これらのフィールドに日時を設定することにより、編集履歴識別情報が示す編集作業群毎に表示期限及び格納期限を設定することができる。
【００６６】
ステップＳ９０７では、画像編集部２０９は、期限設定画面１１００で設定された表示期限及び格納期限を記憶部２０６に保存し、ステップＳ９０４に処理が戻る。画像編集部２０９は、表示期限を示す日時情報及び格納期限を示す日時情報を編集履歴識別情報と関連付けて、図１２に示すような期限管理テーブル１２００に保存する。
【００６７】
ステップＳ９０８では、画像編集部２０９は、ユーザが認証されているか否か判断する。ユーザが認証されている場合は（ｙｅｓ）、ステップＳ９０９に処理が分岐する。ステップＳ９０９では、画像編集部２０９は、ユーザが編集画面１０００に表示されている描画データを記憶部２０６に保存し、当該描画データの描画データ識別情報を表示データバッファに保存すると共に、図１２に示すような編集履歴管理テーブル１２１０及び描画データ属性情報テーブル１２２０を更新し、図１３に示すステップＳ７１１で処理が移行する。
【００６８】
ユーザが認証されていない場合は（ｎｏ）、ステップＳ９１０に処理が分岐する。ステップＳ９１０では、画像編集部２０９は、ユーザが編集画面１０００に表示されている描画データを記憶部２０６に保存し、当該描画データの描画データ識別情報を表示データバッファに保存すると共に、図１２に示すような編集履歴管理テーブル１２１０及び描画データ属性情報テーブル１２２０を更新し、ステップＳ７１１に処理が移行する。
【００６９】
編集履歴管理テーブル１２１０には、編集履歴識別情報と、ユーザ識別情報であるユーザＩＤと、描画データ保存日時と、編集番号と、描画データ識別情報とが関連付けて保存される。ユーザ識別情報は、ユーザが認証されている場合にのみ保存される。
【００７０】
描画データ属性情報テーブル１２２０には、描画データの属性情報が描画データ識別情報と関連付けて登録される。格納場所は、描画データが格納されているメモリアドレスであり、データサイズは、描画データのデータサイズである。画像情報格納先は、描画データの位置情報が保存されているメモリアドレスである。用紙サイズは、編集対象の画像のサイズである。向きは、編集対象の画像の向きであり、ＳＥＦは縦方向を示し、ＬＥＦは横方向を示す。
【００７１】
図７に示すステップＳ７０３では、制御部２００は、初期設定時に記憶部２０６に保存されたアクセス権管理情報を取得する。ステップＳ７０４では、制御部２００は、編集履歴管理テーブル１２１０を参照し、編集履歴識別情報取得部２０８が取得した編集履歴識別情報に関連付けられている描画データ識別情報の一つを選択し、アクセス権管理情報を参照して、ユーザが当該描画データ識別情報の示す描画データに対するアクセス権を有するか否か判断する。
【００７２】
例えば、ユーザＩＤ「Ａ」を有するユーザが認証され、図１２に示す編集履歴管理テーブル１２１０を利用する場合に、当該ユーザが、ユーザＩＤ「Ｂ」のユーザ及びユーザＩＤ「Ｃ」のユーザが作成した描画データに対するアクセス権を有するときは、描画データ識別情報「０００１」、「０００２」及び「０００３」が示す描画データに対してアクセス権を有すると判断する。
【００７３】
ステップＳ７０４で当該描画データに対するアクセス権を有しないと判断した場合は（ｎｏ）、ステップＳ７０９に処理が分岐する。一方、ステップＳ７０４で当該描画データに対するアクセス権を有すると判断した場合は（ｙｅｓ）、ステップＳ７０５に処理が分岐する。
【００７４】
ステップＳ７０５では、制御部２００は、記憶部２０６に保存されている期限管理テーブル１２００を参照し、当該編集履歴識別情報に関連付けられている格納期限と現在の時刻情報とを比較し、格納期限が過ぎているか否か判断する。格納期限が過ぎている場合は（ｙｅｓ）、ステップＳ７０９に処理が分岐する。一方、格納期限が過ぎていない場合は（ｎｏ）、ステップＳ７０６に処理が分岐する。
【００７５】
ステップＳ７０６では、制御部２００は、記憶部２０６に保存されている期限管理テーブル１２００を参照し、当該編集履歴識別情報に関連付けられている表示期限と現在の時刻情報とを比較し、表示期限が過ぎているか否か判断する。表示期限が過ぎていない場合は（ｎｏ）、ステップＳ７０７に処理が分岐する。一方、表示期限が過ぎている場合は（ｙｅｓ）、ステップＳ７０８に処理が分岐する。
【００７６】
ステップＳ７０７では、制御部２００は、ステップＳ７０４で選択した描画データ識別情報を判定結果情報として記憶部２０６に保存する。ステップＳ７０８では、画像処理装置１２０は、ステップＳ７０４で選択した描画データ識別情報と、描画データの表示期限が過ぎている旨を示す表示期限徒過情報とを関連付けて判定結果情報として記憶部２０６に保存する。
【００７７】
ステップＳ７０９では、制御部２００は、編集履歴管理テーブル１２１０を参照し、ステップＳ７０１で取得したと判断した編集履歴情報に関連付けられている他の描画データ識別情報が存在するか否か判断する。他の描画データ識別情報が存在する場合は（ｙｅｓ）、処理をステップＳ７０４に戻し、当該描画データ識別情報について、ステップＳ７０４〜ステップＳ７０８の処理を実行する。一方、他の描画データ識別情報が存在しない場合は（ｎｏ）、図１３に示すステップＳ７１１に処理が分岐する。
【００７８】
図１３を参照すると、ステップＳ７１１で制御部２００が、編集履歴管理テーブル１２１０を参照し、表示データバッファに保存されている描画データ識別情報に関連付けられている描画データ保存日時及びユーザ識別情報を取得し、図１４に示すような反映印刷画面１４００を表示部に表示する。
【００７９】
反映印刷画面１４００は、描画データの表示及び画像データの印刷を行う画面である。反映印刷画面１４００には、プレビュー画面１４０１と、描画データを指定する描画データ指定ボタン１４０２〜１４０８と、印刷ボタン１４０９と、反映ボタン１４１０と、キャンセルボタン１４１１とが含まれる。
【００８０】
プレビュー画面１４０１には、編集対象の画像や描画データ指定ボタン１４０２〜１４０８で指定された描画データが表示される。プレビュー画面１４０１には、当該ユーザによるアクセスが許可されている描画データが表示される。
【００８１】
描画データ指定ボタン１４０２〜１４０４には、当該描画データの保存日時が表示される。描画データ指定ボタン１４０５〜１４０７には、当該描画データを生成したユーザのユーザ識別情報が表示される。描画データ指定ボタン１４０８は、描画データ指定ボタン１４０２〜１４０７総てを指定するボタンである。
【００８２】
ステップＳ７１２では、制御部２００は、反映印刷画面１４００の所定のボタン、すなわち、印刷ボタン１４０９、反映ボタン１４１０又はキャンセルボタン１４１１が押下されたか否か判断する。いずれのボタンも押下されていない場合は（ｎｏ）、ステップＳ７１２の処理が反復して実行される。一方、いずれかのボタンが押下された場合は（ｙｅｓ）、ステップＳ７１３に処理が分岐する。
【００８３】
ステップＳ７１３では、制御部２００は、押下されたボタンの種類を判断し、ボタンの種類に応じて処理が分岐する。具体的には、反映ボタン１４１０が押下された場合は、ステップＳ７１４に処理が分岐し、印刷ボタン１４０９が押下された場合は、ステップＳ７１９に処理が分岐する。キャンセルボタン１４１１が押下された場合は、ステップＳ７２０で処理が終了する。
【００８４】
ステップＳ７１４では、制御部２００は、ユーザが反映印刷画面１４００の描画データ指定ボタン１４０２〜１４０８で指定した描画データの表示期限が過ぎているか否か判断する。具体的には、制御部２００は、ユーザが指定した描画データ指定ボタン１４０２〜１４０８が示す保存日時又はユーザ識別情報に関連付けられている描画データ識別情報を選択し、記憶部２０６に保存されている判定結果情報を参照して、当該描画データ識別情報に表示期限徒過情報が関連付けられている場合は、描画データの表示期限が過ぎていると判断する。
【００８５】
描画データの表示期限が過ぎていない場合は（ｎｏ）、ステップＳ７１５に処理が分岐する。ステップＳ７１５では、制御部２００は、反映印刷画面１４００の描画データ指定ボタン１４０２〜１４０８で指定された描画データをプレビュー画面１４０１に表示する。より詳細には、制御部２００は、ユーザが指定した描画データ指定ボタン１４０２〜１４０８が示す保存日時又はユーザ識別情報に関連付けられている描画データ識別情報が示す描画データを記憶部２０６から取得し、プレビュー画面１４０１に表示する。ステップＳ７１６では、制御部２００は、プレビュー画面１４０１に表示された当該描画データの描画データ識別情報を表示データバッファに保存する。
【００８６】
一方、描画データの表示期限が過ぎている場合は（ｙｅｓ）、ステップＳ７１７に処理が分岐する。ステップＳ７１７では、制御部２００は、反映印刷画面１４００の描画データ指定ボタン１４０２〜１４０８で指定された描画データの保存日時をプレビュー画面１４０１に表示する。より詳細には、制御部２００は、編集履歴管理テーブル１２１０及び描画データ属性情報テーブル１２２０を参照し、ユーザが指定した描画データ指定ボタン１４０２〜１４０８が示す保存日時又はユーザ識別情報に関連付けられている描画データ識別情報に関連付けられている描画データの位置情報及び保存日時を取得し、描画データの位置情報が示すプレビュー画面１４０１内の位置に当該描画データの保存日時を表示する。
【００８７】
ステップＳ７１８では、制御部２００は、反映印刷画面１４００の描画データ指定ボタン１４０２〜１４０８で指定された総ての描画データについて、ステップＳ７１４〜ステップＳ７１７の処理を実行したか否か判断する。指定された総ての描画データについて当該処理を実行していない場合は（ｎｏ）、処理がステップＳ７１４に戻り、他の描画データについて当該処理を実行する。一方、指定された総ての描画データについて当該処理を実行した場合は（ｙｅｓ）、ステップＳ７１３に処理が戻る。
【００８８】
図１４に示す反映印刷画面１４２０は、描画データ指定ボタン１４０５が選択された状態で反映ボタン１４１０が押下された場合の反映印刷画面である。反映印刷画面１４２０のプレビュー画面には、ユーザＩＤ「Ａ」で識別されるユーザが生成した描画データ１４２１，１４２２が、編集対象の画像に重畳して表示される。
【００８９】
反映印刷画面１４３０は、描画データ指定ボタン１４０８が選択された状態で反映ボタン１４１０が押下された場合の反映印刷画面である。反映印刷画面１４３０のプレビュー画面には、描画データ指定ボタン１４０２〜１４０７で指定可能な総ての描画データ１４２１〜１４２６が、編集対象の画像に重畳して表示される。
【００９０】
図１３に示すステップＳ７１９では、制御部２００は、図１５に示す印刷処理を実行し、ステップＳ７１３に処理が戻る。図１５に示す処理は、ステップＳ１５００から開始し、ステップＳ１５０１で制御部２００が、図１６に示すような印刷画面を表示する。
【００９１】
印刷画面１６００は、編集対象の画像を印刷する画面である。印刷画面１６００には、プレビュー画面１６０１と、印刷設定ボタン１６０２〜１６０４と、印刷ボタン１６０５と、キャンセルボタン１６０６とが含まれる。
【００９２】
プレビュー画面１６０１には、印刷処理の実行直前に反映印刷画面のプレビュー画面に表示されていた画像が表示される。印刷設定ボタン１６０２は、編集対象の画像と共に描画データを印刷する旨を指示する設定ボタンである。印刷設定ボタン１６０３は、編集対象の画像に編集履歴識別情報を付加して印刷する旨を指示する設定ボタンである。印刷設定ボタン１６０４は、編集対象の画像のみを印刷する旨を指示する設定ボタンである。
【００９３】
ステップＳ１５０２では、制御部２００は、印刷画面１６００の所定のボタン、すなわち、印刷ボタン１６０５又はキャンセルボタン１６０６が押下されたか否か判断する。いずれのボタンも押下されていない場合は（ｎｏ）、ステップＳ１５０２の処理が反復して実行される。一方、いずれかのボタンが押下された場合は（ｙｅｓ）、ステップＳ１５０３に処理が分岐する。
【００９４】
ステップＳ１５０３では、制御部２００は、押下されたボタンの種類を判断し、ボタンの種類に応じて処理が分岐する。具体的には、印刷ボタン１６０５が押下された場合は、ステップＳ１５０４に処理が分岐する。一方、キャンセルボタン１６０６が押下された場合は、ステップＳ１５０８で処理が終了する。
【００９５】
ステップＳ１５０４では、制御部２００は、印刷画面１６００の印刷設定ボタン１６０２，１６０３，１６０４で指定された印刷設定の種類を判断し、印刷設定の種類に応じて処理が分岐する。具体的には、描画データ反映印刷が指定されている場合は、ステップＳ１５０５に処理が分岐し、編集履歴識別情報の付加印刷が指定されている場合は、ステップＳ１５０６に分岐し、描画データ未反映及び編集履歴識別情報の付加無し印刷が指定されている場合は、ステップＳ１５０７に分岐する。
【００９６】
ステップＳ１５０５では、印刷制御部２１１は、図１６に示す印刷画像１６１０のように、印刷画面１６００のプレビュー画面１６０１に表示されている描画データを編集対象データの画像データに合成して印刷データを生成し、当該印刷データを印刷装置に印刷させ、ステップＳ１５０８で処理が終了する。
【００９７】
ステップＳ１５０６では、印刷制御部２１１は、編集履歴識別情報の設定情報を取得すると共に、編集履歴管理テーブル１２１０を参照して、プレビュー画面１６０１に表示されている描画データの識別情報に関連付けられている編集履歴識別情報を特定する。そして、印刷制御部２１１は、編集履歴識別情報の設定情報に基づいて、図１６に示す印刷画像１６２０のように、編集履歴識別情報を編集対象の画像に合成して印刷データを生成し、当該印刷データを印刷装置に印刷させ、ステップＳ１５０８で処理が終了する。
【００９８】
ステップＳ１５０７では、印刷制御部２１１は、図１６に示す印刷画像１６３０のように、プレビュー画面１６０１に表示されている編集対象の画像のみの印刷データを生成し、当該印刷データを印刷装置に印刷させ、ステップＳ１５０８で処理が終了する。
【００９９】
図１７は、反映印刷画面で描画データを表示した後、さらに編集画面で描画データを生成した場合の画面遷移を示す図である。
【０１００】
反映印刷画面１７００のプレビュー画面に描画データを表示させた状態で、ユーザがキャンセルボタンを押下し、画像処理装置１２０の表示部に表示された操作画面（図示せず）を用いて編集画面の表示指示を発行すると、画像処理装置１２０は、編集画面１７１０を表示部に表示する。編集画面１７１０の起動時には、反映印刷画面１７００のプレビュー画面に表示されていた編集対象の画像及び描画データが編集画面１７１０のプレビュー画像に表示される。
【０１０１】
次いで、ユーザが編集画面１７１０を用いて、さらに描画データ１７１１，１７１２を描画し、保存ボタンを押下すると、画像処理装置１２０は、反映印刷画面１７２０を表示部に表示する。反映印刷画面１７２０には、編集画面１７１０を用いて生成された描画データを指定する描画データ指定ボタン１７２１が追加される。
【０１０２】
そして、ユーザが反映印刷画面１７２０の描画データ指定ボタン１７２２を選択した状態で反映ボタン１７２３を押下すると、画像処理装置１２０は、反映印刷画面１７３０を表示部に表示する。反映印刷画面１７３０のプレビュー画面には、ユーザＩＤ「Ａ」で識別されるユーザが参照可能な全ての描画データが表示される。
【０１０３】
図１８は、本発明の画像処理システムの別の実施形態を示す概略図である。以下、図１８を参照し、本発明の画像処理システム１８００について、画像処理システム１００との相違点を中心に説明する。
【０１０４】
画像処理システム１８００は、情報処理装置１１２ａ，１１２ｂと、画像処理装置１２０，１８２０と、サーバ１８３０と、投影装置１８４０とを含む。
【０１０５】
画像処理装置１２０，１８２０は、描画データ及びアクセス権管理情報をサーバ１８３０に送信して保存すると共に、編集履歴管理テーブル１２１０及び描画データ属性情報テーブル１２２０をサーバ１８３０上に構築する。画像処理装置１２０，１８２０は、サーバ１８３０から描画データ、アクセス権管理情報、編集履歴管理テーブル１２１０及び描画データ属性情報テーブル１２２０をダウンロードして利用することができる。
【０１０６】
サーバ１８３０は、ネットワーク１１０を介して画像処理装置１２０，１８２０及び投影装置１８４０とでデータ通信を行って種々のデータを処理する情報処理装置である。サーバ１８３０は、プロセッサと、ＲＡＭやＨＤＤ等の記憶装置とを備える。サーバ１８３０のプロセッサは、ＷＩＮＤＯＷＳ（登録商標）、Ｍａｃ（登録商標）、ＵＮＩＸ（登録商標）、ＬＩＮＵＸ（登録商標）などの種々のＯＳの制御下で、ＨＤＤに保存されている本発明のプログラムをＲＡＭに展開して実行することにより、後述する機能を実現する。
【０１０７】
サーバ１８３０は、画像処理装置１２０，１８２０の要求に応じて、画像処理装置１２０，１８２０が送信する描画データ及びアクセス権管理情報を保存し、編集履歴管理テーブル１２１０及び描画データ属性情報テーブル１２２０をサーバ１８３０の記憶装置上に構築する。
【０１０８】
また、サーバ１８３０は、画像処理装置１２０，１８２０の要求に応じて、サーバ１８３０の記憶装置に保存されている描画データ及びアクセス権管理情報を保存し、編集履歴管理テーブル１２１０及び描画データ属性情報テーブル１２２０を画像処理装置１２０，１８２０に提供する。さらに、サーバ１８３０は、投影装置１８４０からの描画データの取得要求に応じて、投影装置１８４０が要求する描画データを投影装置１８４０に提供する。
【０１０９】
投影装置１８４０は、サーバ１８３０から描画データを取得し、当該描画データと画像データとを合成して投影する装置である。投影装置１８４０は、プロセッサと、ＲＡＭやＳＳＤ等の記憶装置とを備える。投影装置１８４０のプロセッサは、種々のＯＳの制御下で、ＳＳＤに保存されている本発明のプログラムをＲＡＭに展開して実行することにより、後述する機能を実現する。
【０１１０】
図１９は、サーバ１８３０及び投影装置１８４０の機能構成を示す図である。以下、図１９を参照して、サーバ１８３０及び投影装置１８４０の機能構成について説明する。
【０１１１】
サーバ１８３０は、制御部１９００と、通信部１９０１と、記憶部１９０２と、データ提供部１９０３とを備える。制御部１９００は、サーバ１８３０の全体制御を行う手段であり、後述する機能部を制御して種々の処理を実行する。
【０１１２】
通信部１９０１は、外部装置との通信を制御する手段である。通信部１９０１は、ネットワーク１１０を介して画像処理装置１２０，１８２０及び投影装置１８４０とデータ通信する。通信部１９０１は、画像処理装置１２０，１８２０からデータを取得すると、記憶部１９０２に保存する。
【０１１３】
記憶部１９０２は、種々のデータが保存される記憶手段である。記憶部１９０２は、ＨＤＤやＲＡＭ等の記憶装置によって構成される。データ提供部１９０３は、画像処理装置１２０，１８２０や投影装置１８４０の要求に応じて、記憶部１９０２に保存されているデータを提供する手段である。
【０１１４】
投影装置１８４０は、制御部１９１０と、通信部１９１１と、ユーザ認証部１９１２と、編集履歴識別情報取得部１９１３と、画像取得部１９１４と、画像合成部１９１５と、投影部１９１６と、記憶部１９１７とを備える。
【０１１５】
制御部１９１０は、投影装置１８４０の全体制御を行う手段であり、後述する機能部を制御して種々の処理を実行する。通信部１９１１は、外部装置との通信を制御する手段である。通信部１９１１は、ネットワーク１１０を介してサーバ１８３０とデータ通信する。
【０１１６】
ユーザ認証部１９１２は、投影装置１８４０のユーザを認証する手段である。ユーザはユーザ認証部１９１２を操作する場合、投影装置１８４０の表示部に表示された認証画面にユーザ識別情報及びパスワードを入力する。ユーザ認証部１９１２は、記憶部１９１７に保存されているユーザ識別情報とパスワードとが関連付けられた認証情報を参照し、ユーザが入力したユーザ識別情報とパスワードとを整合することにより、ユーザを認証する。
【０１１７】
編集履歴識別情報取得部１９１３は、編集履歴識別情報を取得する手段である。編集履歴識別情報取得部１９１３は、ユーザが投影装置１８４０の表示部に表示された編集履歴識別情報入力画面を用いて編集履歴識別情報を入力する編集履歴識別情報を取得する。
【０１１８】
画像取得部１９１４は、投影対象の画像データ及び描画データを取得する手段である。画像取得部２０５は、投影装置１８４０に接続される記憶装置に保存されている画像データを投影対象の画像データとして取得する。また、画像取得部２０５は、ユーザが指定する描画データをサーバ１８３０から取得する。
【０１１９】
画像合成部１９１５は、投影対象の画像データ及び描画データを合成する手段である。投影部１９１６は、画像合成部１９１５が生成した合成データを投影する手段である。記憶部１９１７は、種々のデータが保存される記憶手段である。記憶部１９１７は、ＳＳＤやＲＡＭ等の記憶装置によって構成される。
【０１２０】
投影装置１８４０は、ユーザから描画データの取得を指示されると、サーバ１８３０に対し、描画データの取得要求と共に、ユーザが入力したユーザ識別情報及び編集履歴識別情報を送信する。
【０１２１】
サーバ１８３０は、投影装置１８４０から描画データの取得要求を受信すると、データ提供部１９０３が、記憶部１９０２に保存されている編集履歴管理テーブル１２１０及びアクセス権設定情報を参照し、当該編集履歴識別情報に関連付けられている描画データ識別情報のうち、当該ユーザ識別情報が示すユーザが参照可能な描画データの描画データ識別情報を特定する。そして、データ提供部１９０３は、特定した描画データ識別情報が示す描画データと、当該描画データの属性情報とを、通信部１９０１を介して投影装置１８４０に送信する。
【０１２２】
投影装置１８４０は、サーバ１８３０から描画データ及び描画データの属性情報を受信すると、画像取得部１９１４が投影対象の画像データを取得する。次いで、画像合成部１９１５が、投影対象の画像データと描画データとを合成する。このとき、画像合成部１９１５は、描画データの属性情報である位置情報が示す位置に描画データを描画する。そして、投影部１９１６が、画像合成部１９１５が生成した合成データを、スクリーン等の被投影物に投影する。
【０１２３】
これまで本実施形態につき説明してきたが、本発明は、上述した実施形態に限定されるものではなく、上述した実施形態の構成要素を変更若しくは削除し、又は上述した実施形態の構成要素に他の構成要素を追加するなど、当業者が想到することができる範囲内で変更できる。いずれの態様においても本発明の作用効果を奏する限り、本発明の範囲に含まれるものである。
【符号の説明】
【０１２４】
１００…画像処理システム、１１０…ネットワーク、１１２ａ，１１２ｂ…情報処理装置、１２０…画像処理装置
【先行技術文献】
【特許文献】
【０１２５】
【特許文献１】特開２００９−２２３７３８号公報
【図１】
2015104115.tif 000003
【図２】
2015104115.tif 000004
【図３】
2015104115.tif 000005
【図４】
2015104115.tif 000006
【図５】
2015104115.tif 000007
【図６】
2015104115.tif 000008
【図７】
2015104115.tif 000009
【図８】
2015104115.tif 000010
【図９】
2015104115.tif 000011
【図１０】
2015104115.tif 000012
【図１１】
2015104115.tif 000013
【図１２】
2015104115.tif 000014
【図１３】
2015104115.tif 000015
【図１４】
2015104115.tif 000016
【図１５】
2015104115.tif 000017
【図１６】
2015104115.tif 000018
【図１７】
2015104115.tif 000019
【図１８】
2015104115.tif 000020
【図１９】
2015104115.tif 000021